(57)【要約】【課題】回路基板の導電パッドの設計が簡略になり、隣接したペア差動信号端子の間でのクロストークを効果的に低減でき、電気的性能を向上させた電気コネクタを提供する。【解決手段】電気コネクタは、絶縁本体と、前記絶縁本体に装着される複数の導電端子２と、前記絶縁本体を覆うシェルとを含む電気コネクタにおいて、前記シェルに相手コネクタの挿入される収容空間が形成され、前記絶縁本体は前記収容空間へ向けて延出する舌片が設けられ、前記各導電端子２は前記舌片の下壁に一列に配列される平板状の接触部を含み、前記複数の導電端子２は、グランド端子Ｇと複数のペア差動信号端子２１，２２，２３，２４とだけで構成されることを特徴とする。【選択図】図５
2010287560.tif 000002
【特許請求の範囲】
【請求項１】
絶縁本体と、前記絶縁本体に装着される複数の導電端子と、前記絶縁本体を覆うシェルとを含む電気コネクタにおいて、前記シェルに相手コネクタの挿入される収容空間が形成され、前記絶縁本体は前記収容空間へ向けて延出する舌片が設けられ、前記各導電端子は前記舌片の下壁に一列に配列される平板状の接触部を含み、
前記複数の導電端子は、グランド端子と複数のペア差動信号端子とだけで構成されることを特徴とする電気コネクタ。
【請求項２】
前記複数の導電端子は、四つのペア差動信号端子と、少なくとも２つのグランド端子とを含み、少なくとも三つのペア差動信号端子は隣接したグランド端子の間にそれぞれ配置されることを特徴とする請求項１に記載の電気コネクタ。
【請求項３】
前記各差動信号端子は、隣接したグランド端子の間にそれぞれ配置されることを特徴とする請求項２に記載の電気コネクタ。
【請求項４】
前記四つのペア差動信号端子は、両方向伝送できる一つのペア差動信号端子を含むことを特徴とする請求項２に記載の電気コネクタ。
【請求項５】
前記絶縁本体は絶縁材料からなり、前記舌片が絶縁本体と一体に成型され、
前記シェルは、互いに対向する天板及び底板と、前記底板の両端に斜板を介して連接する側板とを含むことを特徴とする請求項１に記載の電気コネクタ。
【請求項６】
前記隣接したペア差動信号端子の間に、二本のグランド端子が配置されることを特徴とする請求項１に記載の電気コネクタ。
【請求項７】
前記複数の導電端子は、四つのペア差動信号端子を含み、その三つのペア差動信号端子が隣接したグランド端子の間に配置され、
前記四つのペア差動信号端子は、第一ペア差動信号端子、第二ペア差動信号端子、第三ペア差動信号端子、第四ペア差動信号端子であり、
前記複数の導電端子の配列は順にグランド端子、第一ペア差動信号端子、グランド端子、第二ペア差動信号端子、グランド端子、第三ペア差動信号端子、グランド端子、グランド端子、第四ペア差動信号端子であることを特徴とする請求項６に記載の電気コネクタ。
【発明の詳細な説明】
【技術分野】
【０００１】
本発明は、電気コネクタに関し、特に、例えば高速ディファレンシャル伝送に使用されるのに適した電気コネクタに関する。
【背景技術】
【０００２】
従来技術として、特許文献１を参照すると、電気コネクタは、絶縁本体と、前記絶縁本体に装着される複数の導電端子と、絶縁本体を覆う金属板で形成されたシェルとを含む。前記絶縁本体は前向きに延出する舌片を含み、前記舌片の下壁には導電端子を対応させて収容するための端子溝が並設される。前記導電端子は、絶縁本体に保持される保持部と、保持部の一端から絶縁本体の外部へ延出する回路基板に接続する接続部と、前記保持部の他端から舌片の端子溝に収容する接触部と、を含み、導電端子の接触部は舌片の下壁に一列に配置される。特許文献１の電気コネクタは、ＨＤＭＩ規格によるものであり、前記複数の導電端子はＨＤＭＩ端子として、物理的には±ＴＭＤＳ−クロックと３つの非圧縮ハイビジョン映像信号とデジタル音声±ＴＭＤＳ−０、±ＴＭＤＳ−１，±ＴＭＤＳ−２の８本、±ＣＥＣ，±ＳＣＬ，±ＳＤＡの６本とＤＤＣ／ＣＥＣグランド端子、ＨＰＤホットプラグ検出端子、電源端子、グランド端子の計１８本に予備１本を加えた計１９本の端子から構成され、これにより、超高速のデジタル信号と低速の電気信号とを同時に伝送できる。以上の端子の説明では、実際のＨＤＭＩコネクタの端子に沿って説明しているが、以下では、差動信号の記号を省略して説明する。
【先行技術文献】
【特許文献】
【０００３】
【特許文献１】意匠登録第１２９０５５８号公報
【発明の概要】
【発明が解決しようとする課題】
【０００４】
従来の電気コネクタの端子は構成が多様なので、回路基板の前記各導電端子に対応する導電パッドの設計が複雑になり、設計コストが高くなる。また、隣接したペアの差動信号端子の間に一つのグランド端子だけが配置されるので、高速伝送の場合において、クロストークを効果的に低減できない。従って、隣接したペアの差動信号端子の間のクロストークにより電気的性能を悪化させる恐れがある。
【０００５】
本発明は、係る点に鑑みてなされたものであり、回路基板の導電パッドの設計が簡略になり、隣接したペアの差動信号端子の間でのクロストークを効果的に低減でき、電気的性能を向上させた電気コネクタを提供することを目的とする。
【課題を解決するための手段】
【０００６】
本発明の電気コネクタは、絶縁本体と、前記絶縁本体に装着される複数の導電端子と、前記絶縁本体を覆うシェルとを含む電気コネクタにおいて、前記シェルに相手コネクタの挿入される収容空間が形成され、前記絶縁本体は前記収容空間へ向けて延出する舌片が設けられ、前記各導電端子は前記舌片の下壁に一列に配列される平板状の接触部とを含み、前記複数の導電端子は、グランド端子と複数のペア差動信号端子とだけで構成されることを特徴とする。
【発明の効果】
【０００７】
従来技術に比べ、本発明は以下の利点を有する。導電端子は、グランド端子と複数のペア差動信号端子とだけで構成されるので、回路基板の導電パッドの設計が簡略になり、隣接したペア差動信号端子の間にグランド端子が配置されることによって、隣接したペア差動信号端子の間でのクロストークを効果的に低減でき、電気的性能を向上させた。
【図面の簡単な説明】
【０００８】
【図１】本発明に係る電気コネクタの組立斜視図である。
【図２】図１に示す電気コネクタの平面図である。
【図３】本発明に係る電気コネクタの分解斜視図である
【図４】図３に示す電気コネクタをほかの角度から見た分解斜視図である。
【図５】本発明に係る電気コネクタの導電端子の配列の斜視図である。
【図６】本発明に係る電気コネクタの他の実施形態での導電端子の配列の斜視図である。
【発明を実施するための形態】
【０００９】
以下、図１〜図５を参照して、本発明の電気コネクタ１００の第一実施状態について詳細に説明する。該電気コネクタ１００は、回路基板（図示せず）に実装され、絶縁本体１と、前記絶縁本体１に装着された複数の導電端子２と、絶縁本体１を覆う金属板からなるシェル３とを含み、前記シェル３が相手コネクタ（図示せず）を収容するための収容空間が形成される。
【００１０】
前記絶縁本体１は、基部１０と、基部１０から前向きに延出する舌片１２とを有し、前記舌片１２は、上壁１２１と、前記上壁１２１に対向する下壁１２２とを有し、前記下壁１２２には複数の端子溝１２２１が設けられる。本実施形態において、絶縁本体１は絶縁材料からなり、基部１０と舌片１２とが一体に成型される。勿論、他の実施形態において、基部１０と舌片１２とは別体でもいい。
【００１１】
図３および図５を参照すると、複数の導電端子は、グランド端子と複数のペアの差動信号端子とだけから構成され、具体的には、複数のペアの差動信号端子は、第一ペア差動信号端子２１と、第二ペア差動信号端子２２と、第三ペア差動信号端子２３と、第四ペア差動信号端子２４とを含む。各ペア差動信号端子は、+信号端子と‐信号端子から構成され、隣接したグランド端子Gの間にそれぞれ配置されることにより、隣接したペア差動信号端子の間でのクロストークを効果的に低減できる。第一ペア差動信号端子２１、第二ペア差動信号端子２２、第三ペア差動信号端子２３は一方向伝送だけができ、第四ペア差動信号端子２４は両方向伝送（two-way transmission）ができ、これにより高速伝送が実現される。
【００１２】
前記導電端子２は、１３本の導電端子から構成され、従来の電気コネクタより低減することができるので、電気コネクタ１００の小型化に有利となる。また、前記複数の導電端子２は、グランド端子と差動信号端子とだけで構成するので、回路基板の導電パッドの設計が簡略になり、設計コストが低減される。
【００１３】
図３を参照すると、各導電端子２は、基部１０に保持される保持部２５と、保持部２５の一端から前記端子溝に収容される平板状の接触部２６と、保持部２５の他端から延出する連接部２８と、連接部２８の末端での回路基板に接続するための接続部２７とを含む。前記接触部２６と接続部２７とは、相手コネクタの挿入方向に沿って延在され、前記連接部２８は前記相手コネクタの挿入方向と直交する方向に沿って延在される。前記接触部２６は舌片１２の下壁１２２に形成される端子溝１２２１に一列で配列されることによって舌片１２の厚さが低減される。前記接触部２６は、相手コネクタの導電端子と接続するために収容空間３０に露出され、また、前記接続部２７は表面粘着技術で回路基板に接続している。
【００１４】
本実施形態において、導電端子２は金属板からなり、勿論、他の実施形態において、舌片１２は、導電パッドを設ける基板が設けられ、中継端子を介して、中継端子の一端が前記基板の導電パッドに接続され、他端が回路基板の導電パッドに接続されることによって、本発明の電気コネクタ１００の目的も実現できる。
【００１５】
前記シェル３は、金属板からなり、シールドケース３８とカバー３９とから組み合わせられる。そのシールドケース３８は、舌片１２の上壁１２１に対向する天板３１と、舌片１２の下壁１２２に対向する底板３２と、両側板３３とを含み、前記底板３２の両端が斜板３４を介して側板３３に連接しており、これによって、不適合コネクタの誤挿着を防止できる。
【００１６】
図６を参照すると、本発明に係る電気コネクタ１００の第二実施形態であり、第一実施形態と異なるのは、第三ペア差動信号端子２３と第四ペア差動信号端子２４との間に二本のグランド端子Gが配置されることであり、これによって、第三ペア差動信号端子２３と第四ペア差動信号端子２４との間でのクロストークを効果的に低減できる。
【００１７】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００１８】
１  絶縁本体
１０  基部
１２  舌片
１２１  上壁
１２２  下壁
１２２１  端子溝
２  導電端子
２１  第一ペア差動信号端子
２２  第二ペア差動信号端子
２３  第三ペア差動信号端子
２４  第四ペア差動信号端子
２５  保持部
２６  接触部
２７  接続部
２８  連接部
３  シェル
３１  天板
３２  底板
３３  側板
３４  斜板
３８  シールドケース
３９  カバー
【図１】
2010287560.tif 000003
【図２】
2010287560.tif 000004
【図３】
2010287560.tif 000005
【図４】
2010287560.tif 000006
【図５】
2010287560.tif 000007
【図６】
2010287560.tif 000008